(57)【要約】【課題】光伝送システムにおいて、時分割複信を行う通信システムの上り通信の中継が発生する期間と発生しない期間の推定の精度を向上させる。【解決手段】光伝送システムでは、端局装置と終端装置とが、時分割複信によって通信するネットワーク装置を有する通信システムの通信と、他通信システムの通信とを中継する。監視部は、１台以上の終端装置から端局装置へ送信される通信システムの時分割複信による信号を監視する。抽出部は、監視結果に基づいて、上りリンクの通信と下りリンクの通信の尤もらしさを表す時系列のデータパターンを抽出する。推定部は、通信システムに適用される時分割複信における上りリンクの通信のタイミング及び下りリンクの通信のタイミングの複数のパターンそれぞれを表す各データと、抽出されたデータパターンとの相関を算出し、推定されるパターンを相関の算出結果に基づいて選択する。【選択図】図１
2018056689.tif 000002
【特許請求の範囲】
【請求項１】
端局装置と終端装置とが、時分割複信によって通信するネットワーク装置を有する通信システムの通信と、前記通信システムとは異なる他通信システムの通信とを中継する光伝送システムであって、
１台以上の前記終端装置から前記端局装置に送信される前記通信システムの時分割複信による信号を監視する監視部と、
前記監視部による監視結果に基づいて、上りリンクの通信と下りリンクの通信の尤もらしさを表す時系列のデータパターンを抽出する抽出部と、
前記通信システムに適用される時分割複信における上りリンクの通信のタイミング及び下りリンクの通信のタイミングの複数のパターンそれぞれを表す各データと、前記抽出部により抽出された前記データパターンとの相関を算出し、複数の前記パターンのうち推定されるパターンを、算出された相関の結果に基づいて選択する推定部と、
を備えることを特徴とする光伝送システム。
【請求項２】
端局装置と終端装置とが、時分割複信によって通信するネットワーク装置を有する通信システムの通信と、前記通信システムとは異なる他通信システムの通信とを中継する光伝送システムが実行する通信発生パターン推定方法であって、
１台以上の前記終端装置から前記端局装置に送信される前記通信システムの時分割複信による信号を監視する監視ステップと、
前記監視ステップによる監視結果に基づいて、上りリンクの通信と下りリンクの通信の尤もらしさを表す時系列のデータパターンを抽出する抽出ステップと、
前記通信システムに適用される時分割複信における上りリンクの通信のタイミング及び下りリンクの通信のタイミングの複数のパターンそれぞれを表す各データと、前記抽出ステップにおいて抽出された前記データパターンとの相関を算出し、複数の前記パターンのうち推定されるパターンを、算出された相関の結果に基づいて選択する推定ステップと、
を有することを特徴とする通信発生パターン推定方法。
【発明の詳細な説明】
【技術分野】
【０００１】
本発明は、光伝送システム及び通信発生パターン推定方法に関する。
【背景技術】
【０００２】
無線基地局のアンテナ部（ＲＲＨ：Remote radio head）と信号処理部（ＢＢＵ：Baseband unit）を分離した無線通信システムがある。この無線通信システムでは、ＲＲＨとＢＢＵとは光装置及び光ファイバを介して結ばれており、この光区間はモバイルフロントホールと呼ばれている。
【０００３】
図６は、モバイルフロントホールの構成例を示す図である。モバイルフロントホールに上りリンクと下りリンクで異なる波長を使用する光波長分割多重（ＷＤＭ：Wavelength Division Multiplex）方式を用いることによって、一心の光ファイバを介して、上りリンクの信号と下りリンクの信号とを同時に送受信することが可能となる（例えば、非特許文献１参照）。
【０００４】
無線通信システムでは、ＲＲＨとスモールセル内の無線端末との間の無線区間において、周波数分割複信（ＦＤＤ：Frequency division duplex）方式と、時分割複信（ＴＤＤ：Time division duplex）方式の２つの方式が使われている。ＦＤＤでは、上下リンクで異なる周波数帯を用いる。ＴＤＤ方式では、上下リンクで周波数帯を共有し、時間軸上で信号が直交する。
【０００５】
図７は、ＬＴＥ（Long term evolution）に用いられるＴＤＤフレームを示す図である。同図に示すようなインデックス０〜６により特定される７種類のＴＤＤフレームの情報を、ＴＤＤフレーム情報と呼ぶ。ＴＤＤ方式では、上りリンク又は下りリンクのトラヒックに合わせてフレーム構成を切換えることにより、上りリンクと下りリンクの通信時間の割合を柔軟に設定することが可能である。
【０００６】
無線フレームにおいて上下リンクの送信のために分割されたフレームをサブフレームとよぶ。ＴＤＤを用いた無線フレームであるＴＤＤフレームのサブフレームを「ＴＤＤサブフレーム」とも呼ぶが、本明細書では、無線フレームがＴＤＤフレームであることを前提とするため、「ＴＤＤサブフレーム」を単に「サブフレーム」とも記載する。ＬＴＥの場合、このＴＤＤサブフレームは１ミリ秒の長さに設定されている。また、１サブフレームがスケジューリングの最小時間単位でありＴＴＩ（Transmission time interval）と表される（例えば、非特許文献２参照）。本明細書では、１サブフレームの時間的な長さを「ＴＴＩ」と記載する。
【０００７】
ＴＤＤフレームを構成するＴＤＤサブフレームには、ダウンリンクサブフレーム（Ｄ）と、アップリンクサブフレーム（Ｕ）と、スペシャルサブフレーム（Ｓ）とがある。ダウン（下り）リンクサブフレームの期間では、下りリンクの信号である下り信号が送信される。アップ（上り）リンクサブフレームの期間では、上りリンクの信号である下り信号を送信する。スペシャルサブフレームの期間は、ダウンリンクパイロットタイムスロット（ＤｗＰＴＳ）、ガードピリオド（ＧＰ）及びアップリンクパイロットタイムスロット（ＵｐＰＴＳ）により構成され、上り信号の受信と下り信号の送信がある。
【０００８】
図８は、無線通信システムがＴＤＤ方式の無線基地局を収容する場合のモバイルフロントホールにおける無線区間及び光区間のデータ伝送例を示す図である。無線区間において、上りリンクのデータと下りリンクのデータは時間軸上で直交して伝送されるため、光伝送区間でも、上りリンクのデータと下りリンクのデータは時間軸上で直交して伝送される。したがって、ＷＤＭ方式を採用している光伝送区間では、上下リンクの各波長でデータ伝送が行われない期間が存在する。以下、ＷＤＭ方式を採用している光区間において、ＴＤＤ方式によってデータ伝送が行われない期間を「ＴＤＤ未送信期間」と記載し、ＴＤＤ方式によってデータ伝送が行われる期間を「ＴＤＤ送信期間」と記載する。
【０００９】
図９は、複数通信システムを収容するアクセスネットワークシステム８００の構成を示す図である。光端局装置８１、光スプリッタ８２及び光終端装置８３を備える光伝送システムが、無線通信システム及び他通信システムを収容する構成である。光端局装置８１から光終端装置８３の方向は下りであり、光終端装置８３から光端局装置８１の方向は上りである。
【００１０】
光スプリッタ８２は、光端局装置８１から１本の光ファイバ５１により伝送されるＴＤＭ（時分割多重）の光信号を、複数の光終端装置８３それぞれと接続される光ファイバ５２に分配する。また、光スプリッタ８２は、複数の光終端装置８３それぞれと接続される光ファイバ５２から伝送されるＴＤＭＡ（時分割多元接続）方式の光信号を合波して、光ファイバ５１に出力する。
【００１１】
同図に示すアクセスネットワークシステム８００において、光伝送システムは、無線通信システムが備えるＲＲＨ３２とＢＢＵ３３との間の通信を中継する。ＲＲＨ３２は、移動無線端末３１とＴＤＤ方式により無線通信する。ＢＢＵ３３は、モバイルＮＷ（ネットワーク）３４と接続される。
【００１２】
さらに、光伝送システムは、無線通信システムとは異なる通信システムである他通信システムの通信を中継する。他通信システムは、例えば、ＦＴＴＨ（Fiber to the home）、Ｍ２Ｍシステム（Machine to machine）である。光端局装置８１は、他サービスＮＷ４４とＬ２ＳＷ４３を介して接続される。Ｍ２Ｍシステムの通信装置４１やＦＴＴＨの通信装置４２は、光伝送システムを介して、他サービスＮＷ４４と通信する。アクセスネットワークシステム８００は、無線通信システムのＴＤＤ未送信期間に他通信システムの信号を重畳し、他通信システムと無線通信システムを同一光ファイバ５１上で収容する（例えば、非特許文献３参照）。
【００１３】
非特許文献３では、ＰＯＮシステムにおける光端局装置であるＯＬＴ（Optical Line Terminal）が光ファイバ内を流れる無線通信システムの信号からＴＤＤ未送信期間を推定する方法が提案されている。
【００１４】
図１０は、従来技術によるＯＬＴ９０の構成を示す図である。同図に示すＯＬＴ９０は、図９における光端局装置８１として用いられる。ＯＬＴ９０は、Ｌ２ＳＷ（レイヤ２スイッチ）９０１と、下りフレーム処理部９０２と、Ｅ／Ｏ変換部９０３と、Ｏ／Ｅ変換部９０４と、上りフレーム処理部９０５と、Ｌ２ＳＷ９０６と、トラヒックモニタ部９０７と、ＴＤＤフレーム情報推定部９１１と、タイミング計算部９１２と、タイミング指示部９１３と、帯域割当部９１４とを備える。Ｌ２ＳＷ９０１、下りフレーム処理部９０２及びＥ／Ｏ変換部９０３により、ＢＢＵ３３又は他通信システム上位装置３５から受信した下り信号が光終端装置８３としてのＯＮＵに中継される。また、Ｏ／Ｅ変換部９０４、上りフレーム処理部９０５及びＬ２ＳＷ９０６により、ＯＮＵから受信した上り信号がＢＢＵ３３又は他通信システム上位装置３５へ中継される。
【００１５】
トラヒックモニタ部９０７は、無線通信システムの上り信号のトラヒックをモニタリング（監視）し、トラヒック情報をＴＤＤフレーム情報推定部９１１に通知する。ＴＤＤフレーム情報推定部９１１は、トラヒックのモニタリング結果に基づいて、ＴＤＤフレーム構成の推定を行う。ＴＤＤフレーム情報推定部９１１は、この推定により、ＴＤＤフレームを構成する各ＴＤＤサブフレームが上りリンクのサブフレーム（アップリンクサブフレーム）、下りリンクのサブフレーム（ダウンリンクサブフレーム）又はスペシャルサブフレームのいずれの割当てパターンに該当するかを判別する。さらに、ＴＤＤフレーム情報推定部９１１は、各サブフレームの開始位置の推定を行い、ＴＤＤ未送信期間を判別する。ＴＤＤフレーム情報推定部９１１は、これらの推定を行った後、ＴＤＤフレーム情報と各サブフレームの開始位置の情報をタイミング計算部９１２に通知する。タイミング計算部９１２は、ＴＤＤフレーム情報推定部９１１から通知された情報に基づいて、各通信システムが光区間を使用可能なタイミングを計算し、この計算結果を示すタイミング情報をタイミング指示部９１３に通知する。タイミング指示部９１３は、タイミング情報を基に、帯域割当部９１４に各通信システムが光区間を使用可能なタイミングを通知する。帯域割当部９１４は、各通信システムの帯域割当方法を選択し、各通信システムが光区間を使用可能なタイミングの情報を基に各通信システムに帯域を割当てる。
【先行技術文献】
【非特許文献】
【００１６】
【非特許文献１】”ＮＴＴ技術ジャーナル，技術基礎講座[GE-PON技術]，第1回 PONとは”，［online］，2005年，日本電信電話株式会社，［平成27年5月21日検索］，インターネット<URL http://www.ntt.co.jp/journal/0508/files/jn200508071.pdf>
【非特許文献２】3GPP，"Evolved Universal Terrestrial Radio Access (E-UTRA) and Evolved Universal Terrestrial Radio Access Network (E-UTRAN); Overall description; Stage2 (Release 12)"，3GPP TS 36.300(V12.4.0)，2014年
【非特許文献３】D. Hisano，et. al.，"Efficient Accommodation of Mobile Fronthaul and Secondary Services in a TDM-PON System with Wireless TDD Frame Monitor"，Proc. IEEE ICC，2016年5月
【発明の概要】
【発明が解決しようとする課題】
【００１７】
従来の推定手法では、トラヒックモニタの結果に基づいて、トラヒックの有無を単純に比較し、ＴＤＤ送信期間とＴＤＤ未送信期間の判別を行っていた。しかし、トラヒックをモニタリングした期間中、ＴＤＤ送信期間にトラヒックが生起していない場合には、ＴＤＤ送信期間をＴＤＤ未送信期間と誤って判別されることがある。誤って判別されたＴＤＤサブフレームにおいて生起したデータ信号は、異なるＴＤＤ送信期間に転送される。このため、遅延及びパケットロスが生じてしまい、モバイルフロントホールの遅延要求条件を満たさないことがあった。
【００１８】
上記事情に鑑み、本発明は、時分割複信を行う通信システムの上り通信の中継が発生する期間と発生しない期間の推定の精度を向上させることができる光伝送システム及び通信発生パターン推定方法を提供することを目的としている。
【課題を解決するための手段】
【００１９】
本発明の一態様は、端局装置と終端装置とが、時分割複信によって通信するネットワーク装置を有する通信システムの通信と、前記通信システムとは異なる他通信システムの通信とを中継する光伝送システムであって、１台以上の前記終端装置から前記端局装置に送信される前記通信システムの時分割複信による信号を監視する監視部と、前記監視部による監視結果に基づいて、上りリンクの通信と下りリンクの通信の尤もらしさを表す時系列のデータパターンを抽出する抽出部と、前記通信システムに適用される時分割複信における上りリンクの通信のタイミング及び下りリンクの通信のタイミングの複数のパターンそれぞれを表す各データと、前記抽出部により抽出された前記データパターンとの相関を算出し、複数の前記パターンのうち推定されるパターンを、算出された相関の結果に基づいて選択する推定部と、を備える。
【００２０】
本発明の一態様は、端局装置と終端装置とが、時分割複信によって通信するネットワーク装置を有する通信システムの通信と、前記通信システムとは異なる他通信システムの通信とを中継する光伝送システムが実行する通信発生パターン推定方法であって、１台以上の前記終端装置から前記端局装置に送信される前記通信システムの時分割複信による信号を監視する監視ステップと、前記監視ステップによる監視結果に基づいて、上りリンクの通信と下りリンクの通信の尤もらしさを表す時系列のデータパターンを抽出する抽出ステップと、前記通信システムに適用される時分割複信における上りリンクの通信のタイミング及び下りリンクの通信のタイミングの複数のパターンそれぞれを表す各データと、前記抽出ステップにおいて抽出された前記データパターンとの相関を算出し、複数の前記パターンのうち推定されるパターンを、算出された相関の結果に基づいて選択する推定ステップと、を有する。
【発明の効果】
【００２１】
本発明により、光伝送システムにおいて、時分割複信を行う通信システムの上り通信の中継が発生する期間と発生しない期間の推定の精度を向上させることが可能となる。
【図面の簡単な説明】
【００２２】
【図１】本発明の第１の実施形態によるＯＬＴの構成を示す機能ブロック図である。
【図２】同実施形態によるデータセット生成部の動作を示すフローチャートである。
【図３】同実施形態によるモニタ周期とＴＤＤサブフレームの送信周期の同期状態を示す図である。
【図４】同実施形態によるモバイルトラヒックを示す図である。
【図５】第２の実施形態によるＯＮＵの構成を示す機能ブロック図である。
【図６】従来技術によるモバイルフロントホールの構成例を示す図である。
【図７】従来技術によるＬＴＥに設定されるＴＤＤフレームを示す図である。
【図８】従来技術による無線通信システムがＴＤＤ方式の無線基地局を収容する場合のモバイルフロントホールにおける無線区間及び光区間のデータ伝送例を示す図である。
【図９】従来技術によるアクセスネットワークシステムの構成を示す図である。
【図１０】従来技術によるＯＬＴの構成を示す機能ブロック図である。
【発明を実施するための形態】
【００２３】
以下、図面を参照しながら本発明の実施形態を詳細に説明する。
【００２４】
［第１の実施形態］
本実施形態の光伝送システムは、例えば、従来技術の図９に示すアクセスネットワークシステム８００における光伝送システムに代えて用いられる。本実施形態では、光伝送システムがＰＯＮ（Passive Optical Network；受動光ネットワーク）システムである場合を例に説明する。光伝送システムがＰＯＮシステムである場合、アクセスネットワークシステム８００は、図９に示す光端局装置８１に代えて、図１に示すＯＬＴ（Optical Line Terminal）１０を設け、光終端装置８３として従来のＯＮＵ（Optical Network Unit)を設ける。
【００２５】
ＰＯＮシステムは、無線通信システム及び他通信システムを収容する。すなわち、ＰＯＮシステムは、無線通信システムのＲＲＨ３２とＢＢＵ３３との間の通信、及び、他通信システムの下位装置と上位装置との間の通信を中継する。無線通信システムのＲＲＨ３２は、移動無線端末３１とＴＤＤ（時分割複信）方式により通信する。他通信システムは、例えばＦＴＴＨ（Fiber to the home）、Ｍ２Ｍシステム（Machine to machine）など、無線通信システム以外の通信システムである。以下では、無線通信システムのＲＲＨ３２と接続され、無線通信システムの通信を中継するＯＮＵを「無線通信システムを収容するＯＮＵ」、他通信システムの下位装置と接続され、他通信システムの通信を中継するＯＮＵを「他通信システムを収容するＯＮＵ」と記載する。
【００２６】
なお、本実施形態は、ネットワークトポロジーに制限を受けない。すなわち、光伝送システムとして、ＰＯＮシステムだけではなく、リング構成やバス構成等のネットワークトポロジーでも実現することが可能である。
【００２７】
図１は、本実施形態によるＯＬＴ１０の構成を示す機能ブロック図であり、本実施形態と関係する機能ブロックのみを抽出して示してある。ＯＬＴ１０は、Ｌ２ＳＷ（レイヤ２スイッチ）１０１と、下りフレーム処理部１０２と、Ｅ／Ｏ変換部１０３と、Ｏ／Ｅ変換部１０４と、上りフレーム処理部１０５と、Ｌ２ＳＷ１０６と、トラヒックモニタ部１０７と、データセット生成部１１０と、ＴＤＤフレーム情報推定部１１１と、タイミング計算部１１２と、タイミング指示部１１３と、帯域割当部１１４とを備える。
【００２８】
Ｌ２ＳＷ１０１、下りフレーム処理部１０２、Ｅ／Ｏ変換部１０３、Ｏ／Ｅ変換部１０４、上りフレーム処理部１０５、Ｌ２ＳＷ１０６、トラヒックモニタ部１０７、タイミング計算部１１２、タイミング指示部１１３及び帯域割当部１１４はそれぞれ、図９に示すＯＬＴ９０が備えるＬ２ＳＷ９０１、下りフレーム処理部９０２、Ｅ／Ｏ変換部９０３、Ｏ／Ｅ変換部９０４、上りフレーム処理部９０５、Ｌ２ＳＷ９０６、トラヒックモニタ部９０７、タイミング計算部９１２、タイミング指示部９１３及び帯域割当部９１４と同様の機能を有する。すなわち、ＯＬＴ１０は、図９に示すＯＬＴ９０のＴＤＤフレーム情報推定部９１１に代えて、データセット生成部１１０及びＴＤＤフレーム情報推定部１１１を備えた構成である。
【００２９】
Ｌ２ＳＷ１０１は、ＢＢＵ３３又は他通信システム上位装置３５から下りリンクの信号である下り信号を受信し、下りフレーム処理部１０２に出力する。他通信システム上位装置３５は、他通信システムにおける上位装置である。下りフレーム処理部１０２は、Ｌ２ＳＷ１０１から入力した下り信号を、ＰＯＮで用いられるフレームに変換する。下りフレーム処理部１０２は、帯域割当部１１４により割当てられたタイミングで、無線通信システムを収容するＯＮＵ宛の下り信号及び他通信システムを収容するＯＮＵ宛の下り信号をＥ／Ｏ変換部１０３に出力する。Ｅ／Ｏ変換部１０３は、フレーム変換された下り信号を、電気信号から光信号に変換し、光ファイバ５１に出力する。光信号は、光スプリッタ８２により分岐され、無線通信システムを収容するＯＮＵ及び他通信システムを収容するＯＮＵに入力される。
【００３０】
Ｏ／Ｅ変換部１０４は、無線通信システムを収容するＯＮＵから送信される上り信号及び他通信システムを収容するＯＮＵから送信される上り信号を、光ファイバ５２及び光ファイバ５１を介して光信号として受信する。Ｏ／Ｅ変換部１０４は、ＯＮＵから受信した上り信号、すなわち、上りリンクの信号を、光信号から電気信号に変換し、上りフレーム処理部１０５に出力する。上りフレーム処理部１０５は、Ｏ／Ｅ変換部１０４から入力した上り信号を、当該上り信号の送信先の上位装置との間で用いられるフレームに変換し、Ｌ２ＳＷ１０６出力する。上り信号の送信先の上位装置は、ＢＢＵ３３又は他通信システム上位装置３５である。Ｌ２ＳＷ１０６は、上りフレーム処理部１０５から入力した上り信号を、ＢＢＵ３３又は他通信システム上位装置３５に送信する。
【００３１】
トラヒックモニタ部１０７は、無線通信システムの上り信号のトラヒックをモニタリング（監視）し、モニタ結果として得られた時系列のトラヒック量を示すトラヒックデータをデータセット生成部１１０に通知する。モニタ対象を、主信号のみとしてもよい。データセット生成部１１０は、トラヒックデータが示す時系列のトラヒック量に基づいて、サブフレームの開始位置を推定した後、ＴＤＤフレーム構成の推定に用いられるデータ列であるデータセットを生成する。データセットは、各サブフレームが上りリンクの信号であるか又は下りリンクの信号であるかの尤もらしさを示す。ＴＤＤフレーム情報推定部１１１は、データセットと、図７に示す７種類の各ＴＤＤフレーム構成を表すデータそれぞれとの相関を算出し、算出された相関に基づいて前述の７種類のうち推定されるＴＤＤフレーム構成を選択する。ＴＤＤフレーム情報推定部１１１は、選択したＴＤＤフレーム構成を示す情報と各サブフレームの開始位置の情報をタイミング計算部１１２に通知する。タイミング計算部１１２は、通知されたＴＤＤフレーム構成と各サブフレームの開始位置の情報に基づいて、各通信システムが光区間を使用可能なタイミングを計算し、この計算結果を示すタイミング情報をタイミング指示部１１３に通知する。タイミング指示部１１３は、タイミング情報を基に、帯域割当部１１４に各通信システムの使用可能タイミングを通知する。帯域割当部１１４は、各通信システムの帯域割当方法を選択し、各通信システムの使用可能タイミングの情報を基に各通信システムの帯域を割当てる。割当てられた帯域の情報は、各通信システムを収容するＯＮＵに通知される。
【００３２】
図１においては、ＯＬＴ１０内にトラヒックモニタ部１０７、タイミング計算部１１２、タイミング指示部１１３及び帯域割当部１１４を備えているが、これらの任意の一部又は全ての機能部をＯＬＴ１０に接続される外部の装置に備えてもよい。
【００３３】
図２は、データセット生成部１１０の動作を示すフローチャートである。
まず、ＯＬＴ１０のトラヒックモニタ部１０７は、上り信号のトラヒックを予め指定されたモニタ時間であるＴ秒間モニタする（ステップＳ１０５）。モニタリングを行う時間（Ｔ秒間）は、１無線フレームの時間の倍数である。例えば、図７に示すＴＤＤフレーム構成の場合、モニタ時間は、１ＴＤＤフレームの時間１０ｍｓの倍数である。また、トラヒックモニタの１周期分の長さであるモニタ間隔は、サブフレーム長を割り切ることが可能な間隔とする。例えば、図７に示すＴＤＤフレーム構成の場合、ＴＤＤサブフレーム長であるＴＴＩが１ｍｓであるため、トラヒックモニタ部１０７は、１／Ｍｍｓ毎（Ｍは正数）のトラヒック量を得る。トラヒックモニタ部１０７は、トラヒック量のモニタ結果を示すモニタリングデータをデータセット生成部１１０に出力する。モニタリングデータは、例えば、トラヒックモニタ周期毎の時系列のトラヒック量を要素とする配列データであり、要素の数は、１無線フレームにおけるモニタ回数Ｎ（＝１０Ｍ）×Ｔ秒間に含まれる無線フレームの数Ｐ（＝Ｔ／０．０１）である。
【００３４】
データセット生成部１１０は、トラヒックモニタ部１０７から入力したモニタリングデータを無線フレーム単位に分割した後、無線フレーム毎に分割された複数のモニタリングデータを加算し、配列Ｄとする。つまり、データセット生成部１１０は、モニタリングデータをそれぞれ１０ｍｓ分の要素からなる分割データ（０）、分割データ（１）、…、分割データ（Ｐ−１）に分割する。分割データ（ｐ）は、モニタリングデータのｐＮ〜（ｐ＋１）Ｎ−１番目の要素からなる（ｐ＝０，１，…，Ｐ−１）。データセット生成部１１０は、これらＰ個の分割データ（０）〜分割データ（Ｐ−１）を加算して配列Ｄとする。配列Ｄは、１無線フレーム分のデータであり、Ｎ個の要素を有する配列データである。
【００３５】
続いて、データセット生成部１１０は、配列Ｄと同じデータ構成の配列ＤａｔａＳｅｔを用意し、配列ＤａｔａＳｅｔのＮ個の要素を全て０．５に初期化する（ステップＳ１１０）。以下では、配列Ｄのｎ番目（ｎは０以上Ｎ−１以下の整数）の要素をＤ（ｎ）と記載し、配列ＤａｔａＳｅｔのｎ番目（ｎは０以上Ｎ−１以下の整数）の要素をＤａｔａＳｅｔ（ｎ）と記載する。配列の要素数Ｎはトラヒックモニタのモニタ間隔に依存する。例えば、ＴＤＤフレームの長さが１０ｍｓ、１ＴＴＩが１ｍｓであり、３１．２５ｕｓ間隔で１０ｍｓ間モニタを行う場合、配列Ｄ及び配列ＤａｔａＳｅｔの要素数Ｎは３２０となる。
【００３６】
次に、データセット生成部１１０は、配列Ｄの各要素が示すトラヒック量を、アップリンクサブフレームであることを表す数値と、アップリンクサブフレーム又はスペシャルサブフレームの可能があることを表す数値と、ダウンリンクサブフレーム又はスペシャルサブフレームの可能があることを表す数値とに３値化する（ステップＳ１１５）。具体的には、データセット生成部１１０は、アップリンクサブフレームを「２」、ダウンリンクサブフレームを「０」、スペシャルサブフレームを「１」の数値で表すとき、配列Ｄの各要素のトラヒック量を予め設定した閾値Ｄｔｈ１、Ｄｔｈ２と比較することにより、「０．５」、「１．５」、「２」に３値化する。３値化処理を行った数値は、ＴＤＤフレーム情報を数値化した値と比較して、尤もらしさを表している。
【００３７】
閾値Ｄｔｈ１は、スペシャルサブフレームにおける上りトラヒック量を超えていることを判定するための閾値である。ｎ＝０，１，…，Ｎ−１とすると、要素Ｄ（ｎ）が表すトラヒック量が閾値Ｄｔｈ１を超えて多い場合、アップリンクサブフレームと完全に一致するため、データセット生成部１１０は、要素Ｄ（ｎ）の尤もらしい値として、アップリンクサブフレームを表す「２」を選択する。
【００３８】
また、閾値Ｄｔｈ２は、閾値Ｄｔｈ１よりも小さく、上りトラヒック量が少ないことを判定するための閾値である。要素Ｄ（ｎ）が表すトラヒック量が閾値Ｄｔｈ２以上かつ閾値Ｄｔｈ１以下の場合、その要素はスペシャルサブフレームとアップリンクサブフレームのいずれであるかを判別できず、それらどちらの可能性もある。そこで、データセット生成部１１０は、スペシャルサブフレームを表す値「１」と、アップリンクサブフレームの値「２」の間の値である「１．５」を、要素Ｄ（ｎ）の尤もらしい値として選択する。
【００３９】
また、要素Ｄ（ｎ）が表すトラヒック量が閾値Ｄｔｈ２より小さい場合は、その要素はスペシャルサブフレームとダウンリンクサブフレームのいずれであるかを判別できず、それらどちらの可能性もある。そこで、データセット生成部１１０は、データセット生成部１１０は、スペシャルサブフレームを表す値「１」と、ダウンリンクサブフレームの値「０」の間の値である「０．５」を、要素Ｄ（ｎ）の尤もらしい値として選択する。
なお、上記におけるサブフレームの種類表す数値は一例であり、配列Ｄの各要素に設定する数値は、サブフレームの種類を表す数値によって変わるため、上記の値は固有ではない。
【００４０】
データセット生成部１１０は、３値化した値を配列Ｄの各要素に格納すると、配列Ｄにおいて「０．５」が最も連続する要素の区間を探索し、その区間から「１．５」又は「２．０」に切り替わる要素に対応した時間ＴＳを、図７に示す１０ＴＴＩの無線フレームの先頭とする（ステップＳ１２０）。
【００４１】
データセット生成部１１０は、時間ＴＳから１無線フレーム（１０ｍｓ）分の要素について、１ｍｓ単位でステップＳ１３０〜ステップＳ１８０のループ処理を実行する（ステップＳ１２５）。そこで、まず、データセット生成部１１０は、処理対象の要素をｉ番目の要素としたとき、時間ＴＳに当たる要素の番号をｉの初期値とする。データセット生成部１１０は、ループ処理を行うたびに、ｉの値を、現在のｉの値に１サブフレーム（１ＴＴＳ）分の要素の数Ｍを加算した値に更新する。ただし、データセット生成部１１０は、配列Ｄの最後の要素までループ処理を行った場合、配列の最初に戻ってループ処理を続ける。つまり、ｉの値にＭを加算した値が配列Ｄの最大の要素の番号Ｎ−１（＝１０×Ｍ−１）を超える場合は、ｉの値を（ｉ＋Ｍ−Ｎ）に更新する。そして、データセット生成部１１０は、無線フレームの先頭である時間ＴＳの要素に達するまでループ処理を実行する。
【００４２】
このループ処理は、前述の３値化された情報をより尤もらしい値に修正するために行う。ループ処理中の対象となる配列Ｄのｉ番目の要素を要素Ｄ（ｉ）と記載し、配列Ｄにおけるｉ番目の要素Ｄ（ｉ）の前後の要素を要素Ｄ（ｉ±１）と記載し、配列Ｄのｉ番目の要素Ｄ（ｉ）の１ＴＴＩ分前後の要素をＤ（ｉ±１ＴＴＩ）と記載する。例えば、１ＴＴＩ＝１ｍｓである場合、配列Ｄのｉ番目の要素Ｄ（ｉ）の１ＴＴＩ分前後の要素をＤ（ｉ±１ｍｓ）と記載する。また、配列ＤａｔａＳｅｔのｉ番目の要素を要素ＤａｔａＳｅｔ（ｉ）と記載する。
【００４３】
ループ処理において、データセット生成部１１０は、要素Ｄ（ｉ）が「２」であるか否かを判定する（ステップＳ１３０）。データセット生成部１１０は、要素Ｄ（ｉ）が「２」であると判定した場合（ステップＳ１３０：ＹＥＳ）、要素Ｄ（ｉ−１）が「０．５」又は「１．５」であるか否かを判定する（ステップＳ１３５）。
【００４４】
図３は、ＯＬＴ１０におけるトラヒックモニタ周期と無線通信システムのサブフレームの送信周期との同期状態を示す図である。同図では、ＯＬＴ１０のトラヒックモニタの周期が、無線通信システムにおける１サブフレームの１／４である場合を例に示している。同図に示すように、ＯＬＴ１０におけるトラヒックモニタ周期と無線通信システムにおけるサブフレームの送信周期とは、位相同期が取られずに非同期に動作している。そのため、要素Ｄ（ｉ）は、一つ前のサブフレームのトラヒックデータに基づいて設定された値の可能性がある。そこで、一つ前の要素Ｄ（ｉ−１）に格納されている値を参照し、要素Ｄ（ｉ）が、一つ前のサブフレームのトラヒック量のデータであるのか、対象のサブフレームのトラヒック量のデータであるのかを判断する必要がある。ここでは、配列Ｄにおける一つ前の要素のトラヒック量を参照しているが、参照する要素として任意の数だけ前の要素を指定することも可能であり、例えば、配列Ｄにおける二つないしは三つ前の要素を参照することも可能である。
【００４５】
図４は、モバイルトラヒックを示す図である。同図に示すように、ＲＲＨ３２が、移動無線端末３１から無線により受信した信号の復調及び復号処理を行い、各サブフレームにおいて、復調及び復号処理の結果得られたデータがサブフレームの先頭から埋まると仮定すると、要素Ｄ（ｉ）に格納された値は、一つ前ではなく、対象のサブフレームのデータと見なすことが可能である。そこで、データセット生成部１１０は、要素Ｄ（ｉ−１）が「０．５」又は「１．５」であると判定した場合（ステップＳ１３５：ＹＥＳ）、配列ＤａｔａＳｅｔのｉ番目の要素から１ｍｓ分までの要素ＤａｔａＳｅｔ（ｉ）〜ＤａｔａＳｅｔ（ｉ+１ｍｓ−１）の全てに２を設定する（ステップＳ１４０）。
【００４６】
一方、データセット生成部１１０は、要素Ｄ（ｉ−１）が「０．５」でも「１．５」でもないと判定した場合（ステップＳ１３５：ＮＯ）、要素Ｄ（ｉ＋１ｍｓ）が「２」であるという条件（Ａ１）、あるいは、要素Ｄ（ｉ＋１）が「１．５」又は「２」であるという条件（Ａ２）のいずれかを満たすか否かを判定する（ステップＳ１４５）。
【００４７】
ステップＳ１３５の判定において、一つ前のサブフレームがアップリンクサブフレーム（上りリンク）と確定しているため、要素Ｄ（ｉ＋１ｍｓ）が「２」であるという条件（Ａ１）を満たす場合、要素Ｄ（ｉ）はアップリンクサブフレーム間に挟まれていることになる。この場合は、図７に示すＴＤＤフレームにおけるダウンリンクサブフレーム及びアップリンクサブフレームのフレーム構成パターンを参照すると、アップリンクサブフレーム（上りリンク）しか存在しないため、対象の要素Ｄ（ｉ）を「２」と確定することが可能となる。
【００４８】
また、ステップＳ１４５の判定において、要素Ｄ（ｉ＋１）が「１．５」又は「２」であるという条件（Ａ２）を満たす場合、図４に示すモバイルトラヒックから、要素Ｄ（ｉ）の値も「２」（アップリンクサブフレーム）に確定可能である。
【００４９】
上記から、データセット生成部１１０は、条件（Ａ１）又は条件（Ａ２）を満たすと判定した場合（ステップＳ１４５：ＹＥＳ）、配列ＤａｔａＳｅｔのｉ番目の要素から１ｍｓ分までの要素ＤａｔａＳｅｔ（ｉ）〜ＤａｔａＳｅｔ（ｉ+１ｍｓ−１）の全てに「２」を設定する（ステップＳ１４０）。
【００５０】
ステップＳ１４５において、条件（Ａ１）も条件（Ａ２）も満たさない場合、要素Ｄ（ｉ）は、一つ前のサブフレームのデータである確率が高い。そこで、データセット生成部１１０は、条件（Ａ１）も条件（Ａ２）も満たさないと判定した場合（ステップＳ１４５：ＮＯ）、配列ＤａｔａＳｅｔのｉ番目の要素から１ｍｓ分までの要素ＤａｔａＳｅｔ（ｉ）〜ＤａｔａＳｅｔ（ｉ+１ｍｓ−１）の全てに「０．５」を設定する（ステップＳ１５０）。
【００５１】
データセット生成部１１０は、要素Ｄ（ｉ）が「２」ではないと判定した場合（ステップＳ１３０：ＮＯ）、要素Ｄ（ｉ）が「１．５」であるか否かを判定する（ステップＳ１５５）。ステップＳ１５５において、要素Ｄ（ｉ）が「１．５」ではない場合、アップリンクサブフレーム、スペシャルサブフレーム、ダウンリンクサブフレーム全ての可能性が存在する。そのため、データセット生成部１１０は、要素Ｄ（ｉ）が「１．５」ではないと判定した場合（ステップＳ１５５：ＮＯ）、配列ＤａｔａＳｅｔのｉ番目の要素から１ｍｓ分までの要素ＤａｔａＳｅｔ（ｉ）〜ＤａｔａＳｅｔ（ｉ+１ｍｓ−１）の全てに「１」を設定する（ステップＳ１６０）。
【００５２】
データセット生成部１１０は、要素Ｄ（ｉ）が「１．５」であると判定した場合（ステップＳ１５５：ＹＥＳ）、要素Ｄ（ｉ−１ｍｓ）が「２」又は「１．５」であるという条件（Ｂ１）と、要素Ｄ（ｉ＋１ｍｓ）が「２」又は「１．５」であるという条件（Ｂ２）の両方を満たすか否かを判断する（ステップＳ１６５）。条件（Ｂ１）と条件（Ｂ２）の両方を満たす場合、要素Ｄ（ｉ）がスペシャルサブフレーム又はアップリンクサブフレームに挟まれることになるため、図７に示すＴＤＤフレーム構成のパターンから、要素Ｄ（ｉ）はアップリンクサブフレームと確定することが可能となる。そこで、データセット生成部１１０は、条件（Ｂ１）と条件（Ｂ２）の両方を満たすと判定した場合（ステップＳ１６５：ＹＥＳ）、配列ＤａｔａＳｅｔのｉ番目の要素から１ｍｓ分までの要素ＤａｔａＳｅｔ（ｉ）〜ＤａｔａＳｅｔ（ｉ+１ｍｓ−１）の全てに「２」を設定する（ステップＳ１７０）。
【００５３】
データセット生成部１１０は、条件（Ｂ１）と条件（Ｂ２）の少なくとも一方を満たさないと判定した場合（ステップＳ１６５：ＮＯ）、要素Ｄ（ｉ−１）が「０．５」であるか否かを判定する（ステップＳ１７５）。これにより、一つ前の要素Ｄ（ｉ−１）が「０．５」である場合、ステップＳ１３０〜ステップＳ１４０と同様に、一つ前のサブフレームからのデータではないと判断できる。そこで、データセット生成部１１０は、要素Ｄ（ｉ−１）が「０．５」ではないと判定した場合（ステップＳ１７５：ＮＯ）、配列ＤａｔａＳｅｔのｉ番目の要素から１ｍｓ分までの要素ＤａｔａＳｅｔ（ｉ）〜ＤａｔａＳｅｔ（ｉ+１ｍｓ−１）の全てに「１．５」を設定する（ステップＳ１８０）。
【００５４】
一方、一つ前の要素Ｄ（ｉ−１）が「０．５」である場合は、アップリンクサブフレーム、ダウンリンクサブフレーム、スペシャルサブフレームの判断ができない。そのため、データセット生成部１１０は、要素Ｄ（ｉ−１）が「０．５」であると判定した場合（ステップＳ１７５：ＹＥＳ）、配列ＤａｔａＳｅｔのｉ番目の要素から１ｍｓ分までの要素ＤａｔａＳｅｔ（ｉ）〜ＤａｔａＳｅｔ（ｉ+１ｍｓ−１）の全てに「１」を設定する（ステップＳ１６０）。
【００５５】
ステップＳ１４０、ステップＳ１５０、ステップＳ１６０、ステップＳ１７０又はステップＳ１７５の処理の後、データセット生成部１１０は、処理対象の要素（ｉ）を、要素（ｉ＋１ｍｓ）に更新する。ただし、要素（ｉ＋１ｍｓ）が配列Ｄの最大の要素の番号（Ｎ−１）を超える場合、データセット生成部１１０は、処理対象の要素（ｉ）を、要素（ｉ＋１ｍｓ−Ｎ）に更新する。データセット生成部１１０は、更新後の要素（ｉ）が時間ＴＳの要素に達してない場合は再びステップＳ１３０からの処理を行い、更新後の要素（ｉ）が時間ＴＳの要素に達した場合は、ループ処理を終了する（ステップＳ１２５）。
【００５６】
上記のように、分岐条件の判定とループ処理を繰り返し、データセット生成部１１０は、配列ＤａｔａＳｅｔを作成し、ＴＤＤフレーム情報推定部１１１に出力する。
【００５７】
ＴＤＤフレーム情報推定部１１１は、データセット生成部１１０が生成した配列ＤａｔａＳｅｔを基に、図７に示す７種類のＴＤＤフレーム構成のいずれであるかを推定する。そこで、ＴＤＤフレーム情報推定部１１１は、図７に示す７種類のＴＤＤフレーム構成を表すデータを生成する。
ＴＤＤフレーム構成を表すＴＤＤフレームデータは、配列ＤａｔａＳｅｔと同じＮ個の要素の配列で表される。インデックスｋのＴＤＤフレームデータのｊＭ個目の要素から（ｊ＋１）Ｍ−１個目の要素までは、そのＴＤＤフレームのサブフレーム番号ｊ（ｊ＝０，１，…，９）のサブフレームの種類を表す値（ダウンリンクサブフレームの場合は「２」、スペシャルサブフレームの場合は「１」、アップリンクサブフレームの場合は「０」）を設定する。
【００５８】
ＴＤＤフレーム情報推定部１１１は、配列ＤａｔａＳｅｔと、インデックスｋ（ｋ＝０〜７の整数）のＴＤＤフレーム構成を示すＴＤＤフレームデータそれぞれとの相互相関を表す標本相関係数ｒを、以下の式（１）により算出する。
【００５９】
【数１】
2018056689.tif 000003
【００６０】
ｘ＝｛ｘｉ｝、ｘｉは配列ＤａｔａＳｅｔのｉ番目の要素ＤａｔａＳｅｔ（ｉ）、ｙ＝｛ｙｉ｝、ｙｉはＴＤＤフレームデータのｉ番目の要素であり、ｘ￣はｘの相加平均、ｙ￣はｙの相加平均である。上記式（１）は相関係数を求める例であり、相関を算出する他の式を利用してもよい。
【００６１】
ＴＤＤフレーム情報推定部１１１は、７種類のＴＤＤフレームデータそれぞれについて配列ＤａｔａＳｅｔとの標本相関係数ｒを比較し、最も値の大きい標本相関係数ｒが得られたＴＤＤフレームデータが表すＴＤＤフレーム構成を、推定結果として選択する。ＴＤＤフレーム情報推定部１１１は、選択したＴＤＤフレーム構成の情報と、ＴＤＤフレームにおける各サブフレームの開始位置のタイミングの情報とを、タイミング計算部１１２に通知する。タイミング計算部１１２は、ＴＤＤフレーム情報推定部１１１から通知されたＴＤＤフレーム構成の情報と各サブフレームの開始位置のタイミングの情報とに基づいて、無線通信システムを収容するＯＮＵ及び他通信システムを収容するＯＮＵのそれぞれが上り通信のために光区間を使用可能なタイミングを計算し、この計算結果を示すタイミング情報をタイミング指示部１１３に通知する。タイミング指示部１１３は、タイミング計算部１１２から通知されたタイミング情報を基に、無線通信システムを収容するＯＮＵ及び他通信システムを収容するＯＮＵに上り通信に使用可能タイミングの情報を帯域割当部１１４に通知する。帯域割当部１１４は、各通信システムの帯域割当方法を選択し、各通信システムを収容するＯＮＵが上り通信に使用可能タイミングの情報を基に、各ＯＮＵに帯域を割当てる。帯域割当部１１４は、各ＯＮＵに割り当てた帯域の情報を下りフレーム処理部１０２に出力する。各ＯＮＵに割り当てた帯域の情報が設定された下り信号は、Ｅ／Ｏ変換部１０３により電気信号に変換され、各通信システムを収容するＯＮＵに通知される。ＯＮＵは、下り信号から割り当て帯域の情報を取得すると、自装置に割当てられた帯域に従って上り信号をＯＬＴ１０に送信する。
【００６２】
［第２の実施形態］
本実施形態では、第１の実施形態のＯＬＴ１０が有するＴＤＤフレーム構成推定の機能をＯＮＵに機能分散する。例えば、アクセスネットワークシステム８００は、図９に示す光終端装置８３に代えて、図５に示すＯＮＵ２０を設ける。
【００６３】
図５は、本実施形態におけるＯＮＵ２０の構成を示す機能ブロック図であり、本実施形態と関係する機能ブロックのみを抽出して示してある。ＯＮＵ２０は、Ｏ／Ｅ変換部２０１と、下りフレーム処理部２０２と、上りフレーム処理部２０３と、Ｅ／Ｏ変換部２０４と、トラヒックモニタ部２０５と、データセット生成部２０６と、ＴＤＤフレーム情報推定部２０７とを備える。
【００６４】
Ｏ／Ｅ変換部２０１は、光ファイバ５２により伝送された下り信号を受信し、光信号から電気信号に変換して下りフレーム処理部２０２に出力する。下りフレーム処理部２０２は、電気信号に変換された下り信号のフレームをＲＲＨ３２との間で用いられるフレームに変換し、ＲＲＨ３２に送信する。上りフレーム処理部２０３は、ＲＲＨ３２から受信した上り信号を、ＰＯＮで用いられるフレームに変換し、Ｅ／Ｏ変換部２０４に出力する。Ｅ／Ｏ変換部２０４は、フレーム変換された上り信号を、電気信号から光信号に変換し、光ファイバ５２に出力する。光ファイバ５２に出力された光信号は、光スプリッタ８２により他のＯＬＴからの光信号と合波され、光ファイバ５１を介してＯＮＵに入力される。
【００６５】
トラヒックモニタ部２０５は、ＲＲＨ３２から受信した上り信号のトラヒックをモニタリング（監視）し、モニタリングデータをデータセット生成部２０６に通知する。データセット生成部２０６及びＴＤＤフレーム情報推定部２０７はそれぞれ、第１の実施形態におけるＯＬＴ１０が備えるデータセット生成部１１０及びＴＤＤフレーム情報推定部１１１と同様の機能を有する。
【００６６】
なお、ＯＮＵ２０が、データセット生成部２０６を備え、ＴＤＤフレーム情報推定部２０７を備えず、ＯＬＴがＴＤＤフレーム情報推定部１１１を備えるようしてもよい。この場合、ＯＮＵ２０のデータセット生成部２０６は、上りフレーム処理部２０３に生成したデータセットを転送し、ＯＬＴに送信する。そして、ＯＬＴ内に実装されるＴＤＤフレーム情報推定部１１１が、ＯＮＵ２０から受信したデータセットを用いて、第１の実施形態と同様の推定処理を行う。ＯＮＵ２０がデータセット生成部２０６と、ＴＤＤフレーム情報推定部２０７とを備える場合、ＴＤＤフレーム情報推定部２０７における推定結果を示すＴＤＤフレーム構成情報を上りデータ信号に格納して、ＯＬＴに送信する。ＴＤＤフレーム構成情報は、例えば、ＴＤＤフレームのインデックスの番号であってもよい。
【００６７】
［第３の実施形態］
第１の実施形態及び第２の実施形態では、ＯＬＴ１０のトラヒックモニタ部１０７、ＯＮＵ２０のトラヒックモニタ部２０５において、上り信号を監視しているが、下り信号を監視することや、上り信号及び下り信号の両方を監視することによっても実現可能である。
【００６８】
上述した実施形態によれば、光伝送システムにおいて、端局装置と終端装置とが、時分割複信によって通信するネットワーク装置を有する通信システムの通信と、この通信システムとは異なる他通信システムの通信とを中継する。光伝送システムは、例えば、ＰＯＮシステムである。また、通信システムは、例えば、無線通信システムであり、時分割複信によって通信するネットワーク装置として、移動無線端末と通信するＲＲＨを有する。光伝送システムは、監視部と、抽出部と、推定部とを備える。なお、監視部、抽出部及び推定部が、端局装置に備えられてもよく、監視部、抽出部及び推定部の全て又は一部が終端装置に備えられてもよい。
【００６９】
監視部は、１台以上の終端装置から端局装置へ送信される通信システムの時分割複信による信号を監視する。監視部は、例えば、ＯＬＴ１０のトラヒックモニタ部１０７や、ＯＮＵ２０のトラヒックモニタ部２０５である。
抽出部は、監視部による監視結果に基づいて、上りリンクの通信と下りリンクの通信の尤もらしさを表す時系列のデータパターンを抽出する。抽出部は、例えば、ＯＬＴ１０のデータセット生成部１１０や、ＯＮＵ２０のデータセット生成部２０６である。
推定部は、通信システムに適用される時分割複信における上りリンクの通信のタイミング及び下りリンクの通信のタイミングの複数のパターンそれぞれを表す各データと、抽出部により抽出されたデータパターンとの相関を算出する。推定部は、前述の複数のパターンのうち推定されるパターンを、算出された相関の結果に基づいて選択する。推定部は、例えば、ＯＬＴ１０のＴＤＤフレーム情報推定部１１１や、ＯＮＵ２０のＴＤＤフレーム情報推定部２０７である。
【００７０】
従来は、データのトラヒックから無線フレームの構成を判別する推定処理の成功率が低かった。この推定を誤ると、モバイルシステムなどの無線通信システムに遅延やフレームロス等の影響を与えてしまう。上述した実施形態によれば、３ＧＰＰに規定されているＴＤＤフレームパターン特徴を利用したデータセットを利用し、ＴＤＤフレーム構成の推定の精度を高めることができる。これにより、無線通信システムの基地局との連携時の遅延を抑えた光伝送システムを提供することが可能となる。
【００７１】
上述した実施形態におけるＯＬＴ１０のトラヒックモニタ部１０７、データセット生成部１１０、ＴＤＤフレーム情報推定部１１１、タイミング計算部１１２、タイミング指示部１１３及び帯域割当部１１４、ならびに、ＯＮＵ２０のトラヒックモニタ部２０５、データセット生成部２０６及びＴＤＤフレーム情報推定部２０７の機能をコンピュータで実現するようにしてもよい。その場合、これらの機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【００７２】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００７３】
複数の通信システムのデータを時分割複信によって中継する光伝送システムに適用可能である。
【符号の説明】
【００７４】
１０…ＯＬＴ
２０…ＯＮＵ
３１…移動無線端末
３２…ＲＲＨ
３３…ＢＢＵ
３４…モバイルＮＷ
４１、４２…通信装置
４３…Ｌ２ＳＷ
４４…他サービスＮＷ
５１、５２…光ファイバ
８１…光端局装置
８２…光スプリッタ
８３…光終端装置
１０１…Ｌ２ＳＷ
１０２…下りフレーム処理部
１０３…Ｅ／Ｏ変換部
１０４…Ｏ／Ｅ変換部
１０５…上りフレーム処理部
１０６…Ｌ２ＳＷ
１０７…トラヒックモニタ部
１１０…データセット生成部
１１１…ＴＤＤフレーム情報推定部
１１２…タイミング計算部
１１３…タイミング指示部
１１４…帯域割当部
２０１…Ｏ／Ｅ変換部
２０２…下りフレーム処理部
２０３…上りフレーム処理部
２０４…Ｅ／Ｏ変換部
２０５…トラヒックモニタ部
２０６…データセット生成部
２０７…ＴＤＤフレーム情報推定部
８００…アクセスネットワークシステム
【図１】
2018056689.tif 000004
【図２】
2018056689.tif 000005
【図３】
2018056689.tif 000006
【図４】
2018056689.tif 000007
【図５】
2018056689.tif 000008
【図６】
2018056689.tif 000009
【図７】
2018056689.tif 000010
【図８】
2018056689.tif 000011
【図９】
2018056689.tif 000012
【図１０】
2018056689.tif 000013